【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
少なくともＰｔとＰを含有する粒子からなることを特徴とする不均一系触媒。
【請求項２】
前記Ｐは、酸化物として前記粒子内に存在していることを特徴とする請求項１記載の不均一系触媒。
【請求項３】
前記粒子の粒径は５ｎｍ未満であることを特徴とする請求項１記載の不均一系触媒。
【請求項４】
前記粒子の粒径は１ｎｍ〜３ｎｍであることを特徴とする請求項３記載の不均一系触媒。
【請求項５】
前記粒子はＰを少なくとも２原子％含有することを特徴とする請求項１記載の不均一系触媒。
【請求項６】
前記Ｐの含量は２原子％〜５０原子％であることを特徴とする請求項１記載の不均一系触媒。
【請求項７】
炭素基材を更に含有することを特徴とする請求項１記載の不均一系触媒。
【請求項８】
前記炭素基材はカーボンブラック及びカーボンナノチューブから成る群から選択される少なくとも１種類であることを特徴とする請求項７記載の不均一系触媒。
【請求項９】
前記炭素基材は多層カーボンナノチューブであることを特徴とする請求項８記載の不均一系触媒。
【請求項１０】
前記粒子はＲｕを更に含有することを特徴とする請求項１記載の不均一系触媒。
【請求項１１】
前記粒子内のＰｔとＲｕの比率はＰｔ４０Ｒｕ６０〜Ｐｔ９０Ｒｕ１０であることを特徴とする請求項１０記載の不均一系触媒。
【請求項１２】
前記炭素基材が２０ｍ２／ｇ〜３００ｍ２／ｇの範囲内の比表面積を有することを特徴とする請求項７記載の不均一系触媒。
【請求項１３】
リン含有還元剤の存在下でＰｔイオンを還元するステップを含むことを特徴とする請求項１の不均一系触媒の製造方法。
【請求項１４】
前記リン含有還元剤は、亜燐酸、亜燐酸塩、次亜燐酸又は次亜燐酸塩の何れかに由来する化合物であることを特徴とする請求項１３記載の製造方法。
【請求項１５】
前記還元ステップは、アルコール還元又は無電解メッキステップであることを特徴とする請求項１３記載の製造方法。
【請求項１６】
カソードと、アノードと、該カソードとアノードとの間に配置された高分子電解質膜からなり、
前記カソード及び／又はアノードは請求項１の前記触媒からなることを特徴とする燃料電池。
【請求項１７】
アノードにメタノートと水、又は水素を供給し、カソードに酸素を供給することを特徴とする請求項１６の燃料電池。
【請求項１８】
アノード触媒層と、カソード触媒層と、該アノード触媒層とカソード触媒層との間に配置された高分子電解質とからなり、前記アノード触媒層及び／又はカソード触媒層は請求項１の前記触媒からなることを特徴とする膜電極接合体。
【手続補正２】
【補正対象書類名】明細書
【補正対象項目名】００１２
【補正方法】変更
【補正の内容】
【００１２】
前記課題を解決するための手段として請求項１に係る発明は、少なくともＰｔとＰを含有する粒子からなることを特徴とする不均一系触媒である。
また、請求項２に係る発明は、前記Ｐは酸化物として前記粒子内に存在していることを特徴とする請求項１記載の不均一系触媒である。
【手続補正３】
【補正対象書類名】明細書
【補正対象項目名】００１３
【補正方法】変更
【補正の内容】
【００１３】
前記課題を解決するための手段として請求項３に係る発明は、前記粒子の粒径は５ｎｍ未満であることを特徴とする請求項１記載の不均一系触媒である。
また、請求項４に係る発明は、前記粒子の粒径は１ｎｍ〜３ｎｍであることを特徴とする請求項３記載の不均一系触媒である。
【手続補正４】
【補正対象書類名】明細書
【補正対象項目名】００１４
【補正方法】変更
【補正の内容】
【００１４】
前記課題を解決するための手段として請求項５に係る発明は、前記粒子はＰを少なくとも２原子％含有することを特徴とする請求項１記載の不均一系触媒である。
【手続補正５】
【補正対象書類名】明細書
【補正対象項目名】００１５
【補正方法】変更
【補正の内容】
【００１５】
前記課題を解決するための手段として請求項６に係る発明は、前記Ｐの含量は２原子％〜５０原子％であることを特徴とする請求項１記載の不均一系触媒である。
【手続補正６】
【補正対象書類名】明細書
【補正対象項目名】００１６
【補正方法】変更
【補正の内容】
【００１６】
前記課題を解決するための手段として請求項７に係る発明は、炭素基材を更に含有することを特徴とする請求項１記載の不均一系触媒である。
【手続補正７】
【補正対象書類名】明細書
【補正対象項目名】００１７
【補正方法】変更
【補正の内容】
【００１７】
前記課題を解決するための手段として請求項８に係る発明は、前記炭素基材はカーボンブラック及びカーボンナノチューブから成る群から選択される少なくとも１種類であることを特徴とする請求項７記載の不均一系触媒である。
【手続補正８】
【補正対象書類名】明細書
【補正対象項目名】００１８
【補正方法】変更
【補正の内容】
【００１８】
前記課題を解決するための手段として請求項９に係る発明は、前記炭素基材は多層カーボンナノチューブであることを特徴とする請求項８記載の不均一系触媒である。
【手続補正９】
【補正対象書類名】明細書
【補正対象項目名】００１９
【補正方法】変更
【補正の内容】
【００１９】
前記課題を解決するための手段として請求項１０に係る発明は、前記粒子はＲｕを更に含有することを特徴とする請求項１記載の不均一系触媒である。
【手続補正１０】
【補正対象書類名】明細書
【補正対象項目名】００２０
【補正方法】変更
【補正の内容】
【００２０】
前記課題を解決するための手段として請求項１１に係る発明は、前記粒子内のＰｔとＲｕの比率はＰｔ４０Ｒｕ６０〜Ｐｔ９０Ｒｕ１０であることを特徴とする請求項１０記載の不均一系触媒である。
【手続補正１１】
【補正対象書類名】明細書
【補正対象項目名】００２１
【補正方法】変更
【補正の内容】
【００２１】
前記課題を解決するための手段として請求項１２に係る発明は、前記炭素基材が２０ｍ２／ｇ〜３００ｍ２／ｇの範囲内の比表面積を有することを特徴とする請求項７記載の不均一系触媒である。
【手続補正１２】
【補正対象書類名】明細書
【補正対象項目名】００２２
【補正方法】変更
【補正の内容】
【００２２】
前記課題を解決するための手段として請求項１３に係る発明は、リン含有還元剤の存在下でＰｔイオンを還元するステップを含むことを特徴とする請求項１の不均一系触媒の製造方法である。
【手続補正１３】
【補正対象書類名】明細書
【補正対象項目名】００２３
【補正方法】変更
【補正の内容】
【００２３】
前記課題を解決するための手段として請求項１４に係る発明は、前記リン含有還元剤は、亜燐酸、亜燐酸塩、次亜燐酸又は次亜燐酸塩の何れかに由来する化合物であることを特徴とする請求項１３記載の製造方法である。
【手続補正１４】
【補正対象書類名】明細書
【補正対象項目名】００２４
【補正方法】変更
【補正の内容】
【００２４】
前記課題を解決するための手段として請求項１５に係る発明は、前記還元ステップは、アルコール還元又は無電解メッキステップであることを特徴とする請求項１３記載の製造方法である。
【手続補正１５】
【補正対象書類名】明細書
【補正対象項目名】００２５
【補正方法】変更
【補正の内容】
【００２５】
前記課題を解決するための手段として請求項１６に係る発明は、カソードと、アノードと、該カソードとアノードとの間に配置された高分子電解質膜からなり、前記カソード及び／又はアノードは請求項１の前記触媒からなることを特徴とする燃料電池である。
【手続補正１６】
【補正対象書類名】明細書
【補正対象項目名】００２６
【補正方法】変更
【補正の内容】
【００２６】
前記課題を解決するための手段として請求項１７に係る発明は、アノードにメタノートと水、又は水素を供給し、カソードに酸素を供給することを特徴とする請求項１６の燃料電池である。
【手続補正１７】
【補正対象書類名】明細書
【補正対象項目名】００２７
【補正方法】変更
【補正の内容】
【００２７】
前記課題を解決するための手段として請求項１８に係る発明は、アノード触媒層と、カソード触媒層と、該アノード触媒層とカソード触媒層との間に配置された高分子電解質とからなり、前記アノード触媒層及び／又はカソード触媒層は請求項１の前記触媒からなることを特徴とする膜電極接合体である。